(57)【要約】      （修正有）【課題】部品の破損を低減させ、空運転を可能にすることができる渦巻ポンプを提供する。【解決手段】リアケーシング４と、リアケーシング内の軸方向に沿って配置されたポンプ軸４２と、ポンプ軸に回転可能に取り付けられたインペラー５と、を有する渦巻ポンプ１であって、インペラーは、空運転可能なように、軸方向の長さを短くし、インペラーを回転させるための駆動マグネットは、ネオジム磁石であり、さらに、インペラーは、Ｓｉｃベアリングを介して、ポンプ軸に回転可能に取り付けられる。【選択図】図１
0003226844.tif 000002
【実用新案登録請求の範囲】
【請求項１】
ケーシングと、
前記ケーシング内の軸方向に沿って配置されたポンプ軸と、
前記ポンプ軸に回転可能に取り付けられたインペラーと、を有する渦巻ポンプであって、
前記インペラーは、空運転可能なように、軸方向の長さを短くしてなる渦巻ポンプ。
【請求項２】
前記インペラーを回転させるための駆動マグネットをさらに有し、
前記駆動マグネットは、ネオジム磁石である請求項１に記載の渦巻ポンプ。
【請求項３】
前記インペラーは、軸受を介して前記ポンプ軸に回転可能に取り付けられ、
前記軸受は、Ｓｉｃベアリング、又は、特殊Ｓｉｃブッシュである請求項１又は２に記載の渦巻ポンプ。
【考案の詳細な説明】
【技術分野】
【０００１】
本考案は、渦巻ポンプに関する。
【背景技術】
【０００２】
従来の渦巻ポンプとして、例えば、特許文献１に記載のようなものが知られている。この特許文献１に記載の渦巻ポンプは、吸込特性及びポンプ効率を向上させるものである。
【先行技術文献】
【特許文献】
【０００３】
【特許文献１】再公表特許ＷＯ２０１５／０９７８５１号公報
【考案の概要】
【考案が解決しようとする課題】
【０００４】
しかしながら、上記のような渦巻ポンプは、空運転に非常に弱く、数分の空運転で部品が破損してしまうという問題があった。
【０００５】
そこで、本考案は、上記問題に鑑み、部品の破損を低減させることでき、もって、空運転を可能にすることができる渦巻ポンプを提供することを目的としている。
【課題を解決するための手段】
【０００６】
上記本考案の目的は、以下の手段によって達成される。なお、括弧内は、後述する実施形態の参照符号を付したものであるが、本考案はこれに限定されるものではない。
【０００７】
請求項１の発明によれば、ケーシング（例えば、リアケーシング４）と、
前記ケーシング（例えば、リアケーシング４）内の軸方向に沿って配置されたポンプ軸（例えば、ポンプ軸４２）と、
前記ポンプ軸（例えば、ポンプ軸４２）に回転可能に取り付けられたインペラー（例えば、インペラー５）と、を有する渦巻ポンプ（１）であって、
前記インペラー（例えば、インペラー５）は、空運転可能なように、軸方向の長さ（例えば、幅Ｗ）を短くしてなることを特徴としている。
【０００８】
また、請求項２の考案によれば、上記請求項１に記載の渦巻ポンプにおいて、前記インペラー（例えば、インペラー５）を回転させるための駆動マグネット（例えば、従動マグネット５１ｂ）をさらに有し、
前記駆動マグネット（例えば、従動マグネット５１ｂ）は、ネオジム磁石であることを特徴としている。
【０００９】
さらに、請求項３の考案によれば、上記請求項１又は２に記載の渦巻ポンプにおいて、前記インペラー（例えば、インペラー５）は、軸受（例えば、Ｓｉｃベアリング５１ａ）を介して前記ポンプ軸（例えば、ポンプ軸４２）に回転可能に取り付けられ、
前記軸受（例えば、Ｓｉｃベアリング５１ａ）は、Ｓｉｃベアリング、又は、特殊Ｓｉｃブッシュであることを特徴としている。
【考案の効果】
【００１０】
次に、本考案の効果について、図面の参照符号を付して説明する。なお、括弧内は、後述する実施形態の参照符号を付したものであるが、本考案はこれに限定されるものではない。
【００１１】
請求項１の考案によれば、空運転可能なように、インペラー（例えば、インペラー５）の軸方向の長さ（例えば、幅Ｗ）を短くしているから、ポンプ軸（例えば、ポンプ軸４２）にかかる面圧を低下させることができる。これにより、空運転したとしても、回転の際発生する摩擦熱を低下させることができるから、ケーシング（例えば、リアケーシング４）が変形し破損してしまうという事態を低減させることができ、もって、空運転を可能にすることができる。
【００１２】
また、請求項２の考案によれば、駆動マグネット（例えば、従動マグネット５１ｂ）を、ネオジム磁石とすることにより、インペラー（例えば、インペラー５）を軽量化させることができ、もって、ポンプ軸（例えば、ポンプ軸４２）にかかる面圧をさらに低下させることができる。これにより、空運転したとしても、回転の際発生する摩擦熱をさらに低下させることができるから、ケーシング（例えば、リアケーシング４）が変形し破損してしまうという事態をさらに低減させることができ、もって、空運転をさらに可能にすることができる。
【００１３】
さらに、請求項３の考案によれば、Ｓｉｃベアリング、又は、特殊Ｓｉｃブッシュである軸受（例えば、Ｓｉｃベアリング５１ａ）を介してポンプ軸（例えば、ポンプ軸４２）に回転可能に取り付けられているから、摺動熱の発生を抑えることができる。これにより、ケーシング（例えば、リアケーシング４）が変形し破損してしまうという事態をさらに低減させることができ、もって、空運転をさらに可能にすることができる。
【図面の簡単な説明】
【００１４】
【図１】本考案の一実施形態に係る渦巻ポンプの分解斜視図である。
【図２】同実施形態に係る渦巻ポンプの一部断面図である。
【図３】（ａ）は、同実施形態に係るインペラーの側面図、（ｂ）は、従来のインペラーの側面図である。
【考案を実施するための形態】
【００１５】
以下、本考案の一実施形態を、図面を参照して具体的に説明する。なお、以下の説明において、上下左右の方向を示す場合は、図示正面から見た場合の上下左右をいうものとする。
【００１６】
図１に示す渦巻ポンプ１は、ポンプケーシング２と、マグネットケーシング３と、リアケーシング４と、インペラー５と、電動機６と、で主に構成されている。以下、各構成について説明する。
【００１７】
＜ポンプケーシングの説明＞
ポンプケーシング２は、図１に示すように、略円形状のポンプケーシング本体２０を有している。図１に示すように、このポンプケーシング本体２０の外周には、取付部２０ａが所定間隔置きに取り付けられている。そしてさらに、このポンプケーシング本体２０の前方には、吸入口部２１が、一体的に突出して設けられ、ポンプケーシング本体２０の一側方には、吐出口部２２が、一体的に突出して設けられている。
【００１８】
一方、図２に示すように、この吸入口部２１の先端面２１ａ側、外周に略円筒状のラップジョイント２３が取り付け固定されており、この吸入口部２１とラップジョイント２３との間には、Ｏ−リング２４が取り付けられている。そしてさらに、図１及び図２に示すように、ラップジョイント２３の外周面には、略ドーナツ状のルーズフランジ２５が取り付けられている。なお、図２に示すように、吸入口部２１の内部中間部には、フロントスラスト２１ｂが設けられている。
【００１９】
一方、図２に示すように、吐出口部２２の先端面２２ａ側、外周に略円筒状のラップジョイント２６が取り付け固定されており、この吐出口部２２とラップジョイント２６との間には、Ｏ−リング２７が取り付けられている。そしてさらに、図１及び図２に示すように、ラップジョイント２６の外周面には、略ドーナツ状のルーズフランジ２８が取り付けられている。
【００２０】
＜マグネットケーシングの説明＞
マグネットケーシング３は、図１及び図２に示すように、円筒状のマグネットケーシング本体３０を有している。このマグネットケーシング本体３０は、先端面３０ａ側、外周に取付部３０ｂが所定間隔置きに一体的に取り付けられている。そして、図２に示すように、この取付部３０ｂと、ポンプケーシング本体２０の取付部２０ａとが、ボルトＢにて連結されている。これにより、マグネットケーシング３とポンプケーシング２とが連結されることとなる。
【００２１】
＜リアケーシングの説明＞
リアケーシング４は、図１及び図２に示すように、半円状のリアケーシング本体４０を有している。このリアケーシング本体４０の先端面側には、図１に示すように、ドーナツ状のフランジ部４１が一体的に設けられている。そして、このリアケーシング本体４０内には、軸線方向に沿って、ポンプ軸４２が設けられている。
【００２２】
かくして、このように形成されたリアケーシング４は、図２に示すように、フランジ部４１がＯ−リング１０を介してポンプケーシング２内に取り付け固定されている。これにより、リアケーシング４は、ポンプケーシング２及びマグネットケーシング３内に載置されることとなる。
【００２３】
＜インペラーの説明＞
インペラー５は、図１に示すドーナツ状のインペラー本体５０と、インペラー本体５０の基端側に一体的に設けられている円筒状のインペラー架台５１と、で構成されている。図１及び図２に示すように、インペラー本体５０の先端面には、マウスリング５０ａが設けられている。これにより、インペラー本体５０から出た流体が、吸入口部２１側に、流れ込むことを防止することができる。
【００２４】
一方、インペラー架台５１は、図２に示すように、内周面軸方向に沿って、Ｓｉｃベアリング５１ａが設けられており、外周面側には、従動マグネット５１ｂが埋設されている。なお、この従動マグネット５１ｂは、従来使用されているフェライト磁石から、ネオジム磁石に変更し、磁石を小型化している。これにより、インペラー架台５１を軽量化している。
【００２５】
かくして、上記のように構成されたインペラー５のインペラー架台５１は、Ｓｉｃベアリング５１ａを介して、リアケーシング４のポンプ軸４２に回転可能に取り付けられる。これにより、インペラー５は、リアケーシング４に回転可能に取り付けられることとなる。なお、インペラー５は、図２に示すように、ポンプケーシング２及びマグネットケーシング３内に載置される。
【００２６】
ところで、図３（ａ）に示すように、インペラー５の軸方向の幅Ｗは、図３（ｂ）に示す従来のインペラー５００の軸方向の幅Ｗ１００よりも、約１／２の幅になっている。すなわち、従来のインペラー５００は、インペラー本体５０１と、インペラー本体５０１の基端側に一体的に設けられたインペラー架台５０２と、で構成されている。そして、このインペラー架台５０２には、リアケーシング４のポンプ軸４２に回転可能に取り付けられることとなる。してみると、インペラー５の軸方向の幅Ｗは、図３（ｂ）に示す従来のインペラー５００の軸方向の幅Ｗ１００よりも、約１／２の幅になっているから、インペラー架台５１と、リアケーシング４のポンプ軸４２との接触面積は、従来の約１／２となる。これにより、ポンプ軸４２にかかる本実施形態に係るインペラー５の面圧は、ポンプ軸４２にかかる従来のインペラー５００の面圧に比べ低下することとなる。
【００２７】
＜電動機の説明＞
電動機６は、図１及び図２に示すように、モータ６０と、マグネットヨーク６１と、で構成されている。モータ６０には、図１及び図２に示すようにモータ軸６０ａが回転可能に取り付けられている。そして、このモータ軸６０ａには、図２に示すように、マグネットヨーク６１の基端部６１ａが取り付け固定されている。
【００２８】
一方、マグネットヨーク６１は、図１及び図２に示すように、略円筒状に形成されており、図２に示すように、内部に、リアケーシング４が収納される。そして、図２に示すように、マグネットヨーク６１の先端部６１ｂ側には、駆動マグネット６１ｃが埋設されている。この駆動マグネット６１ｃは、ネオジム磁石からなるもので、マグネットヨーク６１の内部にリアケーシング４を収納した際、インペラー架台５１の従動マグネット５１ｂと、対向する位置に設けられており、従動マグネット５１ｂと磁気結合される。
【００２９】
ところで、上記のようなマグネットヨーク６１は、図２に示すように、マグネットケーシング３のマグネットケーシング本体３０内に載置されている。そして、このマグネットケーシング本体３０と、モータ６０とは、図２に示すように、取付ねじＮ等を介して取り付け固定されることとなる。
【００３０】
＜渦巻ポンプの動作説明＞
かくして、上記のように構成される渦巻ポンプ１は、以下のように動作する。すなわち、モータ６０によって、モータ軸６０ａが回転（例えば、１分間に３６００回転）すると、モータ軸６０ａに取り付け固定されているマグネットヨーク６１が回転（例えば、１分間に３６００回転）することとなる。これにより、駆動マグネット６１ｃが、リアケーシング４の周囲を回転（例えば、１分間に３６００回転）することとなる。この際、駆動マグネット６１ｃと磁気結合された従動マグネット５１ｂも回転することとなるから、インペラー架台５１も回転（例えば、１分間に３６００回転）し、もって、インペラー本体５０も回転（例えば、１分間に３６００回転）することとなる。その結果、吸入口部２１から内部に移送流体が導入される。そして、導入された移送流体は、吐出口部２２介して外部に吐出されることとなる。
【００３１】
しかして、以上説明した本実施形態によれば、ポンプ軸４２にかかる本実施形態に係るインペラー５の面圧は、ポンプ軸４２にかかる従来のインペラー５００の面圧に比べ低下することとなるから、部品の破損を低減させることでき、もって、空運転を可能にすることができる。
【００３２】
すなわち、従来においては、ポンプ軸４２にかかる面圧が高いことから、空運転すると、インペラー５００が回転した際発生する摩擦熱が、リアケーシング４に伝わり、もって、リアケーシング４が変形し破損してしまうという問題があった。
【００３３】
そこで、本実施形態においては、ポンプ軸４２にかかる面圧を低下させているから、空運転したとしても、回転した際発生する摩擦熱を低下させることができる。これにより、リアケーシング４が変形し破損してしまうという事態を低減させることができるから、空運転を可能にすることができる。
【００３４】
また、本実施形態においては、従来使用されているフェライト磁石から、ネオジム磁石に変更し、磁石を小型化し、インペラー架台５１を軽量化しているから、さらに、ポンプ軸４２にかかる面圧を低下させることができる。これにより、リアケーシング４が変形し破損してしまうという事態をさらに低減させることができるから、空運転をさらに可能にすることができる。
【００３５】
さらに、本実施形態においては、Ｓｉｃベアリング５１ａを介して、リアケーシング４のポンプ軸４２に回転可能に取り付けられているから、摺動熱の発生を抑えることができ、もって、リアケーシング４が変形し破損してしまうという事態をさらに低減させることができる。これにより、空運転をさらに可能にすることができる。
【００３６】
なお、本実施形態において示した形状等はあくまで一例であり、実用新案登録請求の範囲内において、種々の変形・変更が可能である。例えば、本実施形態おいては、インペラー５のインペラー架台５１は、Ｓｉｃベアリング５１ａを介して、リアケーシング４のポンプ軸４２に回転可能に取り付けられている例を示したが、それに限らず、Ｓｉｃベアリング５１ａに代え、カーボン含有品からなる特殊Ｓｉｃブッシュを用いても良い。すなわち、インペラー５のインペラー架台５１を、カーボン含有品からなる特殊Ｓｉｃブッシュを介して、リアケーシング４のポンプ軸４２に回転可能に取り付けるようにしても良い。このようにしても、摺動熱の発生を抑えることができ、もって、リアケーシング４が変形し破損してしまうという事態をさらに低減させることができる。これにより、空運転をさらに可能にすることができる。
【符号の説明】
【００３７】
１                  渦巻ポンプ
４                  リアケーシング（ケーシング）
４２                ポンプ軸
５                  インペラー
５１ａ              Ｓｉｃベアリング（軸受）
５１ｂ              従動マグネット（駆動マグネット）
Ｗ                  幅（軸方向の長さ）
【図１】
0003226844.tif 000003
【図２】
0003226844.tif 000004
【図３】
0003226844.tif 000005